(57)【要約】【課題】簡単な構造で美しいドレープを十分生かすこと、窓に対して横開できるカーテンを閉めたときの、カーテン同士あるいはカーテンと窓を構成している壁との間に光が漏れる隙間ができないようにすること、簡単な製造方法で形成できることのできるドレープカーテンを提供すること。【解決手段】カーテンレール２０に吊下されて多数のドレープ１１が上下方向となり、各ドレープ１１の区切りを、カーテン生地の縦方向に形成した谷折りプリーツ加工線１２により行い、各谷折りプリーツ加工線１２間に位置する前記カーテン生地に、谷折りプリーツ加工線１２とは反対側に湾曲する湾曲プリーツを掛けることにより横断面がサイクロイド曲線状態となるようにして、各谷折りプリーツ１２及び湾曲プリーツの全ての部分にタック部分を形成しないで済むようにし、少なくとも先端に位置するドレープ１１の縦端部に、他のドレープカーテン１０側の重畳部１０ａまたは窓３０を構成している壁に重なる重畳部１０ａを形成したこと。【選択図】図１
2007135915.tif 000002
【特許請求の範囲】
【請求項１】
カーテンレールに吊下されて多数のドレープが上下方向となり、前記各ドレープの区切りを、カーテン生地の縦方向に形成した谷折りプリーツ加工線により行い、各谷折りプリーツ加工線間に位置する前記カーテン生地に、前記谷折りプリーツ加工線とは反対側に湾曲する湾曲プリーツを掛けることにより横断面がサイクロイド曲線状態となるようにして、前記各谷折りプリーツ及び湾曲プリーツの全ての部分にタック部分を形成しないで済むようにしたドレープカーテンにおいて、
少なくとも先端に位置する前記ドレープの縦端部に、他のドレープカーテン側の重畳部または窓を構成している壁に重なる重畳部を形成したことを特徴とするドレープカーテン。
【請求項２】
前記重畳部に、他のドレープカーテン側の重畳部または窓を構成している壁に設けた固定部に取り付けられる固定部を設けたことを特徴とする請求項１に記載のドレープカーテン。
【請求項３】
前記重畳部を、芯材を有したものとすることにより、前記ドレープより硬質なものとしたことを特徴とする請求項１または請求項２に記載のドレープカーテン。
【発明の詳細な説明】
【技術分野】
【０００１】
本発明は、カーテンに関し、特に、開けたたときも閉めたときも縦方向のドレープが美しく形成され、しかも閉めたときの遮光性を向上させたドレープカーテンに関するものである。
【背景技術】
【０００２】
従来のドレープカーテンは、ドレープと呼ばれる「襞」を形成する方法によって、次の二種類に大別できる。一つのタイプは、カーテンの上部をつまんでこれを縫製等によって固定化した「タック部分」を形成し、この「タック部分」の下側に「襞」を形成するものであり、他のタイプは、カーテン生地を二枚の型紙間に挟んで加熱冷却加工、つまりプリーツを掛けることによりドレープ（襞）を形成するものである。
【０００３】
上記の第一タイプのドレープカーテンでは、ドレープは、タック部分の直下では美しく現れてはいるものの、中央から徐々に崩れていき、下部に至ると全く消失してしまうものであり、全体的に美しいものとはいえない。一方、第二タイプのドレープカーテンでは、各ドレープの断面形状において、「Ｕ字状部」と「逆Ｕ字状部」とが交互して連続するようにするものであり、「ドレープ」と言えばこのようなものが一般的である。
【０００４】
このような「Ｕ字状部」と「逆Ｕ字状部」とが交互して連続するドレープカーテンでは、全ての部分が曲線であるため、ドレープが明確には現れない。しかも、このドレープカーテンをカーテンレールに連結するためには掛け金を取り付けなければならないが、この掛け金は、「Ｕ字状部」または「逆Ｕ字状部」となっているカーテン上部に取り付けなければならない。そうすると、カーテン自体の重さによって、カーテン上部の「Ｕ字状部」または「逆Ｕ字状部」に部分的に力が加わるため、折角形成してあるドレープを乱してしまうものである。
【０００５】
一方、近年のカーテンにあっては、この種のドレープカーテンも含めて、昼間のパソコン画面の反射を少なくして見易くしたり、夜間においては部屋からの光が外に漏れないようにしたりするために、内外からの光を通さない「遮光性」に優れたものが要求されてきている。
【０００６】
カーテンの「遮光性」を高めるためには、「カーテン生地」自体を厚手のものとしたり遮光性に優れた材料からなるものとすることが当然考えられるが、「カーテン生地」自体を遮光性に優れたものとするだけでは、カーテンを閉めたたきの遮光性が十分確保できない。何故なら、カーテン同士あるいはカーテンと窓を構成している壁との間に隙間ができれば、ここから光が漏れてしまうからである。このような、カーテンの遮光性を考慮した技術としては、例えば特許文献１〜特許文献３に示されたようなものがある。
【０００７】
特許文献１に記載された発明は、「遮光性の高いカーテンを提供する」ことを目的としてなされた「カーテン」に関するものであり、図９に示すように、「裏地１１の一部を山型に突出させ、折り返された基端部３１同士を基端部縫製部３２で縫製し、ループ状の重合部３３を形成する。この裏地１１を表地１２に重ね、重合部３３基端より下縁２２側の接合用縫製部４１に沿って裏地１１を表地１２に縫製する。重合部３３を接合用縫製部４１上に重ねて配置し、重合部３３先端の固定用縫製部５１を裏地１１に縫製する。裏地１２と重合部３３間に棒状部材７１を設け、抜け止め用縫製部７２で縫製する。そして、これらの工程を下縁２２側まで繰り返す」ようにしたものである。
【０００８】
しかしながら、この特許文献１の「カーテン」では、カーテン生地自体に工夫を凝らすことによって、「表地と裏地と縫製して接合する構造上、表地と裏地を貫通するピンホールが、縫製部に沿って多数形成されてしまう。これにより、どんなに厚手の裏地を使用しても、このピンホールから光が透過してしまうこと」を防止するようにしたものであって、カーテン同士あるいはカーテンと窓を構成している壁との間にできた隙間から光が漏れてしまうという問題を解決しているものではない。
【０００９】
また、特許文献２に記載された発明は、「カーテン生地の重なり部分からの外光の洩れを防止し、かつ組み立て時の作業性を向上させ得るプリーツカーテンを提供する」ことを目的としてなされた「プリーツカーテン」に関するものであり、図１０に示すように、「任意角度に屈曲可能としたヘッドボックスからカーテン生地３ａ，３ｂをそれぞれ吊下支持し、カーテン生地３ａ，３ｂの下端にボトムレールを取着し、カーテン生地３ａ，３ｂに挿通した昇降コードを操作してボトムレールを昇降することにより、カーテン生地３ａ，３ｂを昇降可能としたプリーツカーテンにおいて、カーテン生地３ａ，３ｂの重なり部において各カーテン生地の少なくともいずれかに昇降コード４ｂ，４ｃを挿通し、前記昇降コード４ｂ，４ｃにカーテン生地３ａ，３ｂの端部を当接させて、該カーテン生地３ａ，３ｂの前後方向の入れ替わりを規制した」ものである。
【００１０】
しかしながら、この特許文献２のプリーツカーテンでは、「カーテン生地３ａ，３ｂに挿通した昇降コードを操作してボトムレールを昇降することにより、カーテン生地３ａ，３ｂを昇降可能とした」ものであり、横方向には開閉できないだけでなく、「カーテン生地３ａ，３ｂの下端にボトムレールを取着」しなければならない構造の複雑なものとなっている。
【００１１】
さらに、特許文献３に記載された発明は、「表地幕体に取付けられる裏地幕体の着脱作業及び遮光性を変更する作業が簡単且つ容易に行える遮光裏地付き幕体による遮光方法及びその遮光裏地付き幕体を提供する」ことを目的としてなされた「遮光裏地付き幕体による遮光方法及びその遮光裏地付き幕体」に関するものであり、図１１及び図１２に示すように、「裏地カーテンＢを、略１．５倍仕様又は略２倍仕様の表地カーテンＡの裏面側に重ね合わせた後、吊下げ具４を構成する吊下げ具本体５の吊下げ部５ｃを、表地カーテンＡの差込み部Ａａ…及びその差込み部Ａａ…と連通する裏地カーテンＢの孔部Ｂａ…に差込み、表地カーテンＡ及び裏地カーテンＢの上縁部に沿って所定間隔に隔てて取付けられた吊下げ具４…を、カーテンレール２に挿入されたランナー３…に吊下げる。且つ、遮光用の裏地カーテンＢを、略１．５倍仕様又は略２倍仕様の表地カーテンＡに兼用して取付け、表地カーテンＡの遮光性を変更する」ようにしたものである。
【００１２】
しかしながら、この特許文献３のカーテンでも、上記特許文献１に記載されたカーテンと同様に、「カーテン生地から光が透過してしまうこと」を防止するようにしたものであって、カーテン同士あるいはカーテンと窓を構成している壁との間にできた隙間から光が漏れてしまうという問題を解決しているものではない。
【特許文献１】特開２００３−３３９５２１号公報、要約、代表図
【特許文献２】特開２００３−４１８６９号公報、要約、代表図
【特許文献３】特開２００５−２６０号公報、要約、代表図
【発明の開示】
【発明が解決しようとする課題】
【００１３】
以上の通り、「カーテン」における「遮光性」を考慮した技術は種々存在しているが、いずれも、
（１）簡単な構造で美しいドレープを十分生かすこと
（２）窓に対して横開できるカーテンを閉めたときの、カーテン同士あるいはカーテンと窓を構成している壁との間に光が漏れる隙間ができないようにすること
（３）簡単な製造方法で形成できること
については意を用いておらず、十分な遮光性を有するカーテンとはなっていないと考えられる。
【００１４】
そこで、本発明者等は、少なくとも上記した（１）〜（３）の点を達成することのできるカーテンとするにはどうしたらよいか、について種々検討を重ねてきた結果、本発明を完成したのである。
【００１５】
すなわち、本発明の目的とするところは、
（１）簡単な構造で美しいドレープを十分生かすこと
（２）窓に対して横開できるカーテンを閉めたときの、カーテン同士あるいはカーテンと窓を構成している壁との間に光が漏れる隙間ができないようにすること
（３）簡単な製造方法で形成できること
のできるドレープカーテンを提供することにある。
【課題を解決するための手段】
【００１６】
以上の課題を解決するために、まず、請求項１に係る発明の採った手段は、後述する最良形態の説明中で使用する符号を付して説明すると、
「カーテンレール２０に吊下されて多数のドレープ１１が上下方向となり、各ドレープ１１の区切りを、カーテン生地の縦方向に形成した谷折りプリーツ加工線１２により行い、各谷折りプリーツ加工線１２間に位置する前記カーテン生地に、谷折りプリーツ加工線１２とは反対側に湾曲する湾曲プリーツを掛けることにより横断面がサイクロイド曲線状態となるようにして、各谷折りプリーツ１２及び湾曲プリーツの全ての部分にタック部分を形成しないで済むようにしたドレープカーテン１０において、
少なくとも先端に位置するドレープ１１の縦端部に、他のドレープカーテン１０側の重畳部１０ａまたは窓３０を構成している壁に重なる重畳部１０ａを形成したことを特徴とするドレープカーテン１０」
である。
【００１７】
すなわち、この請求項１に係るドレープカーテン１０は、まず、各ドレープ１１にタック部分を形成しないようにするとともに、これら各ドレープ１１を一般的なプリーツ加工によって形成するものであるが、これらドレープ１１を多数連続させた断面形状を、サイクロイド曲線状態となるようにしたものである。サイクロイド曲線は、ある平面上を一つの円が接しながら転動するとき、この円上の一点が描く軌跡を言うものであるが、本発明に係るドレープカーテン１０では、図２に示すように、多数のドレープ１１が連続している断面形状をこのサイクロイド曲線に近似したものとしてあるのである。
【００１８】
このようなドレープ１１を形成するには、例えば二枚の型紙に、谷折りプリーツ加工線１２に対応する谷折り部を形成し、これらの谷折り部間に、谷折り部とは反対側に湾曲する湾曲部を形成しておいて、これらの型紙内にカーテン生地を挟み込んで、通常のプリーツ加工を行うことにより、簡単に行えるものである。なお、「谷折り」とは、図１に示すように、当該ドレープカーテン１０を部屋側からみたときに凹んだ部分となる折り方である。
【００１９】
このようにしたドレープカーテン１０を展開したときには、図１の左側に示すように、窓３０側に凹んだ各谷折りプリーツ加工線１２には言わば「影」ができるため、各谷折りプリーツ加工線１２及びこれによって区切られたドレープ１１が非常にはっきりと、しかも美しく見えることになるのである。また、このドレープカーテン１０を、図１の右側に示すように閉じたときには、各谷折りプリーツ加工線１２が窓３０側に凹んでいるし、各谷折りプリーツ加工線１２間に位置するカーテン生地には、各谷折りプリーツ加工線１２とは反対側（部屋側）に湾曲する湾曲プリーツが掛けてあるから、全てのドレープ１１はその中央が部屋側に突出するように湾曲して部屋内の照明を反射するものであり、その存在が消失することなく現れたままの状態を維持するのである。
【００２０】
勿論、このドレープカーテン１０は、窓３０の内側上部に設けたカーテンレール２０に吊下しなければならないが、そのためのタック部分を形成する必要がないことは当然として、吊下のための掛け金１３は、図２及び図３に示すように、各谷折りプリーツ加工線１２の外側面（窓３０側となる面であって、部屋側からは見えない面）の上部（谷折りプリーツ加工線１２の上端から２〜３ｃｍ直下、またはここから２〜３ｃｍ横部分）に取り付ければよいものとなっている。つまり、当該ドレープカーテン１０をカーテンレール２０に吊下するに当たって、その自重が各谷折りプリーツ加工線１２に掛かるようにするのであり、これら谷折りプリーツ加工線１２によって区切られている各ドレープ１１に直接力が加わらないようにするのである。これにより、当該ドレープカーテン１０を掛け金１３を利用してカーテンレール２０に吊下したとき、各ドレープ１１にはその形状を乱す力が加わらないから、各ドレープ１１が形崩れすることはないのである。
【００２１】
ところで、窓３０の幅は近年では種々なものになってきており、また、カーテン生地の幅の種類は、数種類用意されてはいても、固定された一定のものとなっている。このようなカーテン生地は、裁断するという無駄な作業をできるだけ避けて、効率的に使用しなければならない現状にある。この点について、本発明のドレープカーテン１０は、各ドレープ１１の区切りを、カーテン生地の縦方向に形成した谷折りプリーツ加工線１２により行うとともに、各谷折りプリーツ加工線１２間に位置する前記カーテン生地に、谷折りプリーツ加工線１２とは反対側に湾曲する湾曲プリーツを掛けるようにしているため、各ドレープ１１がその寸法差を十分吸収し、カーテン生地の裁断を行わなくてもよいものとなっているのである。
【００２２】
そして、この請求項１に係るドレープカーテン１０において重要なことは、図１〜図５に示すように、少なくとも先端に位置するドレープ１１の縦端部に、他のドレープカーテン１０側の重畳部１０ａまたは窓３０を構成している壁に重なる重畳部１０ａを形成したことである。
【００２３】
この重畳部１０ａは、側端に位置するドレープ１１に連続して形成したものであり、この重畳部１０ａについてもプリーツが掛けられるのである。この重畳部１０ａに掛けられるプリーツは、当該ドレープカーテン１０を図１の左側に示すように開けたとき、図３にも示すように、当該重畳部１０ａがカーテンレール２０と平行になるように掛けられるのであり、また、当該重畳部１０ａ全体には湾曲プリーツではなく平面プリーツが掛けられるものである。そして、この重畳部１０ａの内端縁には、隣接するドレープ１１との境界部分に、当該重畳部１０ａがカーテンレール２０と平行になるようにする平行折りプリーツ加工線１２ａが積極的に掛けられるものであり、これにより、当該重畳部１０ａに隣接するドレープ１１の美しさを損なわないようにしてある。
【００２４】
勿論、各重畳部１０ａの縦方向の長さは各ドレープ１１のそれと同一となるようにしてあり、横方向の幅は、後述する最良形態の場合、３〜５ｃｍになるようにしてある。また、この重畳部１０ａは、例えば図１に示すように、一つの窓３０を互いに対向する２枚のドレープカーテン１０によって覆うようにした場合、各ドレープカーテン１０の先端側（互いに対向し合う端）に形成すれば十分であるが、窓３０を構成している壁側にも形成して実施してもよいものである。換言すれば、当該ドレープカーテン１０が十分な幅を有する場合には、壁側になるドレープ１１によって壁との間の隙間が覆われるから、壁側の重畳部１０ａは必要ではないのであるが、互いに対向する部分では、光を通さないようにするための重畳部を形成しなければならないのである。
【００２５】
また、重畳部１０ａの直近に位置する谷折りプリーツ加工線１２の上端部近傍には、掛け金１３が必ず取り付けなければならないことも当然である。そうでなければ、重畳部１０ａとこれに隣接するドレープ１１の上端が垂れ下がってしまうからである。なお、各掛け金１３は、当該ドレープカーテン１０の上端から５ｍｍ程度下側に取り付けられることが、当該ドレープカーテン１０をカーテンレール２０に対して隙間無く取り付けるために有利となる。
【００２６】
以上のように、少なくとも先端に位置するドレープ１１の縦端部に、他のドレープカーテン１０側の重畳部１０ａまたは窓３０を構成している壁に重なる重畳部１０ａを形成することにより、各ドレープカーテン１０を閉めたとき、図３に示すように、各重畳部１０ａが互いに重なり合い、また窓３０の壁側についても、この重畳部１０ａによって光を通さないようにされるから、当該ドレープカーテン１０は十分な遮光を行うものである。
【００２７】
なお、各ドレープカーテン１０の先端に位置する各掛け金１３は、磁石が内蔵されているものが使用され、各ドレープカーテン１０を閉めたときに互いに吸着し合うようにしたものが多い。このような掛け金１３を使用したとき、一般的なカーテンであれば、その先端が互いに当接し合うように思われるが、カーテン生地自体は可撓性を有しているものであるから、実際には隙間ができてしまう。この点、本発明に係るドレープカーテン１０では、その端部に重畳部１０ａが存在しているのであるから、これらの重畳部１０ａが、図３に示すように、各掛け金１３の吸着時に互いに重なり合い、光が通過するような隙間は完全に埋められる、つまり遮光されるのである。
【００２８】
従って、この請求項１に係るドレープカーテン１０は、各ドレープ１１が常にはっきりして美しく見えて、ドレープ１１の乱れを生じさせていたタック部分を形成する必要もなく、しかも開いたときも閉じたときも、ドレープ１１の美しさを現すことができるものであるだけでなく、閉めたときの隙間発生を各重畳部１０ａによって完全に阻止することができて、非常に高い遮光性を有したものとなっているのである。
【００２９】
上記課題を解決するために、請求項２に係る発明の採った手段は、上記請求項１に記載のドレープカーテン１０について、
「重畳部１０ａに、他のドレープカーテン１０側の重畳部１０ａまたは窓３０を構成している壁に設けた固定部１６に取り付けられる固定部１６を設けたこと」
である。
【００３０】
すなわち、この請求項２に係るドレープカーテン１０では、図４に示すように、重畳部１０ａに、面ファスナーや磁石、あるいはホック等の固定部１６を設けたものであり、この固定部１６によって重畳した各重畳部１０ａが簡単には離れないようにしたものである。勿論、ドレープカーテン１０自体にはその端部に重畳部１０ａが形成してあったから、この重畳部１０ａが、各ドレープ１１の形状を乱すことなく固定部１６の取付場所を提供しているのである。
【００３１】
このような固定部１６を有したドレープカーテン１０は、重畳した各重畳部１０ａが離れないのであるから、窓３０を開けて空気の出入りを許容するようにした場合であっても、十分な遮光をすることになるものである。同様に、窓３０を閉めている場合であって、部屋内のエアコンからの風を大きくした場合であっても、固定部１６によって重畳した各重畳部１０ａが離れないのであるから、十分な遮光が行えるものである。
【００３２】
従って、この請求項２に係るドレープカーテン１０では、上記請求項１のそれと同様な作用を発揮する他、窓３０を開けたときも、エアコンを強く作動させたときも、十分な遮光性を有したものとなっているのである。
【００３３】
上記課題を解決するために、請求項３に係る発明の採った手段は、上記請求項１または請求項２に記載のドレープカーテン１０について、
「重畳部１０ａを、芯材１０ｂを有したものとすることにより、ドレープ１１より硬質なものとしたこと」
である。
【００３４】
すなわち、この請求項３のドレープカーテン１０にあっては、図５に示すように、その重畳部１０ａが芯材１０ｂを有したものとしたものである。この芯材１０ｂは、重畳部１０ａを構成している生地を図５に示したように三巻してこれを逢着することにより構成してもよく、重畳部１０ａを袋状に形成しておいて、この袋内に別の材料からなる芯材１０ｂを、当該ドレープカーテン１０の窓３０に設置する前に挿入するように実施してもよいものである。さらには、この芯材１０ｂとして磁力を帯びさせた鉄板にしてもよいものである。
【００３５】
以上のように、当該ドレープカーテン１０の重畳部１０ａが芯材１０ｂを有したものとすることにより、当該重畳部１０ａはその重畳作用が確実となるような剛性を有したものとなり、重畳部１０ａ本来の遮光性を十分なものとすることができるのである。
【００３６】
従って、この請求項３に係るドレープカーテン１０は、上記請求項１または請求項２のそれと同様な機能を発揮する他、その芯材１０ｂの剛性によって重畳部１０ａの遮光性がより一層高まったものとなっているのである。
【発明の効果】
【００３７】
以上説明した通り、本発明においては、
「カーテンレール２０に吊下されて多数のドレープ１１が上下方向となり、各ドレープ１１の区切りを、カーテン生地の縦方向に形成した谷折りプリーツ加工線１２により行い、各谷折りプリーツ加工線１２間に位置する前記カーテン生地に、谷折りプリーツ加工線１２とは反対側に湾曲する湾曲プリーツを掛けることにより横断面がサイクロイド曲線状態となるようにして、各谷折りプリーツ１２及び湾曲プリーツの全ての部分にタック部分を形成しないで済むようにしたドレープカーテン１０において、
少なくとも先端に位置するドレープ１１の縦端部に、他のドレープカーテン１０側の重畳部１０ａまたは窓３０を構成している壁に重なる重畳部１０ａを形成したこと」
にその主たる特徴があり、これにより、本発明は、
（１）簡単な構造で美しいドレープ１１を十分生かすこと
（２）窓３０に対して横開できるカーテン１０を閉めたときの、カーテン１０同士あるいはカーテン１０と窓３０を構成している壁との間に光が漏れる隙間ができないようにすること
（３）簡単な製造方法で形成すること
のできるドレープカーテン１０を提供することができるのである。
【発明を実施するための最良の形態】
【００３８】
次に、以上のように構成した各請求項に係る発明を、図面に示した最良の形態であるドレープカーテン１０について説明するが、この最良形態のドレープカーテン１０は、図１〜図３に示した実施例１と、図４に示した実施例２と、図５に示した実施例３と、図６に示した実施例４と、図６〜図８に示した実施例５とがあるので、以下各実施例順に説明して行くこととする。
【実施例１】
【００３９】
図１には、本発明に係るドレープカーテン１０を、窓３０の左側では開いて、また窓３０の右側では閉じている状態が示してある。勿論、これらのドレープカーテン１０は、カーテンレール２０に吊下されていて、多数のドレープ１１〜１１が上下方向に位置している。
【００４０】
このドレープカーテン１０においては、図１及び図２に示したように、各ドレープ１１の区切りを、カーテン生地の縦方向に形成した谷折りプリーツ加工線１２により行うとともに、各谷折りプリーツ加工線１２間に位置するカーテン生地に、谷折りプリーツ加工線１２とは反対側に湾曲する湾曲プリーツを掛けることにより、断面がサイクロイド曲線状態となるようにしてある。
【００４１】
また、このドレープカーテン１０においては、両端に位置する各ドレープ１１の端部に重畳部１０ａが一体的に形成してあり、この重畳部１０ａと隣接するドレープ１１との間には平行折りプリーツ加工線１２ａが形成してある。この平行折りプリーツ加工線１２ａは、当該ドレープカーテン１０を広げたとき、重畳部１０ａがカーテンレール２０と略平行になるようにするものであり、上述した谷折りプリーツ加工線１２より少し「谷折り」状態を緩くしたものである。勿論、各重畳部１０ａに対しては「平面プリーツ」、つまり当該重畳部１０ａが平らになるようなプリーツが掛けられるものである。
【００４２】
さて、このドレープカーテン１０は、次のようにして形成した。まず、幅が９０ｃｍである一枚のガラス窓を覆うものとしてのドレープカーテン１０を製造するために、ポリエステル繊維からなり、幅が１５０ｃｍのカーテン生地を用意し、これを二枚の型紙内に挟み込んで、蒸気釜内に挿入した。勿論、各型紙には、谷折りプリーツ加工線１２に対応する凹みと、各凹み間にドレープ１１に対応する湾曲、そして両端のドレープ１１に隣接する平行折りプリーツ加工線１２ａに対応する凹みが形成してあるし、一つの蒸気釜内には、二枚の型紙内に挟み込んだカーテン生地の多数が挿入されるものである。以上のようにした状態で、約１０５℃の温度で約２０分間蒸気加熱して２０分間真空にし、蒸気釜から取り出した。
【００４３】
これによって完成したドレープカーテン１０は、これを机の上に広げたとき、図２に示した区切り幅Ｓが１１．１〜１１．２ｃｍとなり、各ドレープ１１の高さＨは、約５ｃｍであり、全体の幅は約１００ｃｍであった。また、各重畳部１０ａの幅は、５ｃｍであった。そして、このドレープカーテン１０を８回洗濯したときの区切り幅Ｓ及び高さＨは、それぞれ、１１．１ｃｍ、５ｃｍであって、新品状態と殆ど変化がなく、耐洗濯性が非常に高いものとなっていた。勿論、各重畳部１０ａの幅は５ｃｍのままであった。
【００４４】
特に、本最良形態のドレープカーテン１０については、自然状態に置いたときの各ドレープ１１の区切りＳを、７．８〜１５．５ｃｍの範囲で行い、湾曲プリーツを掛けた部分の高さＨを、２．０〜５．０ｃｍの範囲で行うようにしている。各ドレープ１１の区切り幅（スパン）Ｓを、７．８〜１５．５ｃｍの範囲で行うようにしたのは、まず、この区切り幅Ｓが７．８ｃｍより小さいと、各ドレープ１１が明確に見えないとともに、カーテン生地として幅が特殊なもの（通常提供されてはいないもの）が必要になるからである。逆に、この区切り幅Ｓが１５．５ｃｍより大きいと、ドレープカーテン１０としての体をなさないだけでなく、掛け金１３によってカーテンレール２０に吊下したとき、ダラリとしたものとなって、美しさがなくなるからである。
【００４５】
また、各ドレープ１１の湾曲プリーツを掛けた部分の高さＨを、２．０〜５．０ｃｍの範囲で行ったのは、まず、２．０ｃｍより低いと、各谷折りプリーツ加工線１２を永続性のあるもとすることができないだけでなく、そのような浅い谷折りプリーツ加工線１２を形成したときには、これによってできる「影」が薄くて小さく、美しい形態のドレープ１１とすることができないからである。一方、各ドレープ１１の湾曲プリーツを掛けた部分の高さＨが５．０ｃｍより大きいと、カーテン生地として幅が特殊なものが必要になるからだけでなく、掛け金１３によってカーテンレール２０に吊下したとき、ダラリとしたものとなって、美しさがなくなるからである。
【００４６】
また、各谷折りプリーツ加工線１２及び重畳部１０ａの直近に位置する平行折りプリーツ加工線１２ａの上端部近傍には、図１〜図３に示したように、窓３０の内側上部に水平状に設けたカーテンレール２０に対して当該ドレープカーテン１０を吊下するための掛け金１３が取り付けてある。特に、重畳部１０ａの直近に位置する平行折りプリーツ加工線１２ａの上端部近傍に取り付けた掛け金１３は、重畳部１０ａとこれに隣接するドレープ１１の上端が垂れ下がってしまうことがないようにするものである。なお、各掛け金１３は、当該ドレープカーテン１０の上端から５ｍｍ程度下側に取り付けられることが、当該ドレープカーテン１０をカーテンレール２０に対して隙間無く取り付けるために有利となる。
【実施例２】
【００４７】
図４には実施例２に係るドレープカーテン１０の部分正面図が示してあるが、この実施例２では、各重畳部１０ａに固定部１６を設けるようにしたものである。この固定部１６は、面ファスナー、磁石、チャック、あるいはホック等種々なものが採用できるが、要するに、重畳した各重畳部１０ａ同士を互いに固定できるものであれば何であってもよい。本最良形態では、部分的な複数の面ファスナーを、各重畳部１０ａの同一位置であって互いに対向し得る部分に設けてある。
【実施例３】
【００４８】
図５には、実施例３に係るドレープカーテン１０の部分横断面図が示してあるが、この実施例３では、各重畳部１０ａ内に芯材１０ｂを介在させることにより、当該重畳部１０ａの剛性が、ドレープカーテン１０の他の部分より少し大きくなるようにしたものである。この芯材１０ｂとしては、図５に示したように、ドレープカーテン１０の生地そのものを重畳部１０ａにて三巻することにより、この重畳部１０ａ内に存在するカーテン生地によって構成するのが最も簡単でよいが、他の材料を使用して実施てもよいことは前述した通りである。
【００４９】
勿論、この重畳部１０ａ内に入れられる芯材１０ｂを、磁化させた鉄板によって形成すれば、この芯材１０ｂの磁力を、実施例２で示した固定部１６と実質的な機能を発揮させることができるから、固定部１６を省略することや、簡単に形成できるという意味から有利となる。
【実施例４】
【００５０】
図６には、実施例４に係るドレープカーテン１０が示してあるが、このドレープカーテン１０においては、谷折りプリーツ加工線１２の裏面側に取り付けられる掛け金１３の近傍に位置してカーテンレール２０と平行となる位置の前面に、装飾材または装飾布１４を取り付けるようにしている。
【００５１】
すなわち、この実施例４に係るドレープカーテン１０は、図６に示したように、これをカーテンレール２０に掛け金１３によって吊下するにあたり、各掛け金１３とは反対側（部屋側）となる部分に、装飾材または装飾布１４を取り付けたものであり、この装飾材または装飾布１４によって、当該ドレープカーテン１０を長期間使用することによって「くびれ」が発生した場合に、これを隠せるようにしたものである。
【００５２】
一般に、ドレープカーテン１０を構成しているカーテン生地が重量のあるものであったり、長期間使用した場合には、ドレープカーテン１０自体の重力が各掛け金１３近傍に直接掛かることになり、各掛け金１３近傍で少し「くびれる」場合がある。このくびれによる線が、掛け金１３の各位置に対応して横方向に並ぶと、縦方向の各ドレープ１１や谷折りプリーツ加工線１２とはそぐわないことになる。このため、この実施例４のドレープカーテン１０では、そのくびれによる線が発生し易い部分に装飾材または装飾布１４を予め取り付けておくことにより、仮にこの「くれれ線」が発生したとしても、各ドレープ１１や谷折りプリーツ加工線１２に違和感を与えないようにしているのである。
【００５３】
装飾材または装飾布１４としては、上記くびれ線を隠すことができて各ドレープ１１や谷折りプリーツ加工線１２と調和するものであれば何んであってもよいが、フリル等のボリュームのある布や「くびれ」そのものを発生しにくい厚手の布等を使用するのが効果的である。
【００５４】
従って、この実施例４に係るドレープカーテン１０は、仮に各掛け金１３近傍にくびれ線が生じたとしても、これを目立たないようにし、各ドレープ１１や谷折りプリーツ加工線１２による美しさを長期間維持し得るものとなっているのである。
【実施例５】
【００５５】
図７及び図８には、実施例５に係るドレープカーテン１０が示してあるが、このドレープカーテン１０においては、各ドレープ１１及び重畳部１０ａとの区切りを、上端が途切れた状態でカーテン生地の縦方向に形成した谷折りプリーツ加工線１２及び平行折りプリーツ加工線１２ａにより行うとともに、各谷折りプリーツ加工線１２間に位置する前記カーテン生地に、谷折りプリーツ加工線１２とは反対側に湾曲する湾曲プリーツを掛けることにより、断面がサイクロイド曲線状態となるようにし、さらに、谷折りプリーツ加工線１２及び平行折りプリーツ加工線１２ａの上端に、これから左右へ上方に向けて広がる谷折りプリーツ分散線１５ａを形成することにより、各谷折りプリーツ加工線１２及び平行折りプリーツ加工線１２ａの上端に吊下重力を分散させるための略三角形の分散部１５を形成するように実施したものである。
【００５６】
各分散部１５は、図８に拡大して示すように、各谷折りプリーツ加工線１２の上端から左右へ上方に向けて広がる谷折りプリーツ分散線１５ａによって区画されるものであり、図５にも示すように、略逆三角形状のものである。各谷折りプリーツ分散線１５ａは、谷折りプリーツ加工線１２をプリーツ加工する際に同時に形成されるものであるが、谷折りプリーツ加工線１２と同様な「谷折り」であってもよいし、逆の「山折り」であってもよいものである。そして、これら各分散部１５の裏面に、図８中の点線にて示すように、各掛け金１３が取付けられるのであり、その取付け位置は各谷折りプリーツ加工線１２の直上が最も効果的である。
【００５７】
このような分散部１５が各谷折りプリーツ加工線１２の上端に位置していることによって、当該ドレープカーテン１０全体の重量による「くびれ線」形成の力は、両谷折りプリーツ分散線１５ａによって左右に分散され、当該分散部１５の裏面に取付けてある掛け金１３に集中することがなくなる。つまり、各分散部１５によって、当該ドレープカーテン１０の上部に「くびれ線」が形成されることがないのである。
【００５８】
従って、この実施例５に係るドレープカーテン１０も、各ドレープ１１及び谷折りプリーツ加工線１２による美しさを長期間にわたって維持し得るものとなっているのである。
【図面の簡単な説明】
【００５９】
【図１】本発明の実施例１に係るドレープカーテンの正面図である。
【図２】同ドレープカーテンの部分拡大断面図である。
【図３】同ドレープカーテンの二枚を窓の内側に展開したときの横断面図である。
【図４】実施例２に係るドレープカーテンの部分斜視図である。
【図５】実施例３に係るドレープカーテンの部分拡大横断面図である。
【図６】本発明の実施例４に係るドレープカーテンの正面図である。
【図７】本発明の実施例５に係るドレープカーテンの正面図である。
【図８】図７中の１−１線部の部分拡大正面図である。
【図９】従来の技術を示す斜視図である。
【図１０】従来の他の技術を示す斜視図である。
【図１１】従来のさらに別の技術を示す拡大縦断面図である。
【図１２】図１１に示した従来カーテンの正面図である。
【符号の説明】
【００６０】
１０    ドレープカーテン
１０ａ  重畳部
１０ｂ  芯材
１１    ドレープ
１２    谷折りプリーツ加工線
１２ａ  平行折りプリーツ加工線
１３    掛け金
１４    装飾材または装飾布
１５    分散部
１５ａ  谷折りプリーツ分散線
１６    固定部
２０    カーテンレール
３０    窓
Ｓ    区切り幅
Ｈ    高さ
【図１】
2007135915.tif 000003
【図２】
2007135915.tif 000004
【図３】
2007135915.tif 000005
【図４】
2007135915.tif 000006
【図５】
2007135915.tif 000007
【図６】
2007135915.tif 000008
【図７】
2007135915.tif 000009
【図８】
2007135915.tif 000010
【図９】
2007135915.tif 000011
【図１０】
2007135915.tif 000012
【図１１】
2007135915.tif 000013
【図１２】
2007135915.tif 000014